(57)【要約】      （修正有）【課題】パイプレンチの代わりにモンキレンチを使用して配管部材にねじ込むことができるように形成したねじ込み継手を提供する。【解決手段】エルボ１には、９０°湾曲した胴体部と管路とが形成されている。胴体部の両端に配置する口部１４の外周面には、八角形状のバンド部１２を形成し、内周面には雌ネジを形成する。エルボ１の両端の口部１４、１４に、先端部を雄ネジ１７ａに形成したパイプ１７を挿入し、モンキレンチ１６でバンド部１２を把持した後、モンキレンチ１６自体を、バンド部１２の管軸を中心にして回す。また、エルボ１の両端面を面加工してバリ取りを図る。【選択図】図３
0003159257.tif 000002
【実用新案登録請求の範囲】
【請求項１】
配管部材を接続して、かつ管路が異方向に形成されるねじ込み継手であって、
前記ねじ込み継手の端部に配設されるバンド部が、六角形状又は八角形状に形成されていることを特徴とするねじ込み継手。
【請求項２】
前記ねじ込み継手に形成される管路が、湾曲して形成されていることを特徴とする請求項１記載のねじ込み継手。
【請求項３】
前記ねじ込み継手に形成される管路が、少なくとも２方向に分岐して形成されていることを特徴とする請求項１記載のねじ込み継手。
【請求項４】
前記ねじ込み継手の入口側端部と出口側端部とに配設されるバンド部が、それぞれ異径に形成されていることを特徴とする請求項１記載のねじ込み継手。
【請求項５】
前記配管部材の端面が、面加工処理されていることを特徴とする請求項１乃至４のいずれかに記載のねじ込み継手。
【考案の詳細な説明】
【技術分野】
【０００１】
本考案は、ねじ込み継手に関し、主に、エルボやチーズあるいはクロス等の異方向に形成された管路を有するねじ込み継手に関する。
【背景技術】
【０００２】
ねじ込み継手は、配管部材どうしを接続するものであり、接続する場所や接続する管の数によって形状が異なる。例えば、２つの配管部材を直列的に接続するソケットや、直交する方向に管路を形成するエルボ状のねじ込み継手（以下、エルボという）や、３つの配管部材を接続するＴ状のねじ込み継手（以下、チーズという）、４つの配管部材を接続する十字状のねじ込み継手（以下、クロスという）等が存在している。通常、これらのねじ込み継手の端部内周面には雌ネジが形成され、配管部材の端部に形成された雄ネジにねじ込み可能に形成されている。さらに、一般的には、ねじ込み継手の端部外周面には胴体部より大径のバンド部が形成されている。従来のバンド部は丸状に形成されていた。２つの配管部材を上述のねじ込み継手で接続する際、配管部材の雄ネジ部にシールテープを装着した後、ねじ込み継手の胴体部を直接パイプレンチで掴んでパイプレンチと共にねじ込み継手を回してねじ込んでいた。
【考案の開示】
【考案が解決しようとする課題】
【０００３】
しかし、パイプレンチでねじ込み継手を把持する際には、ねじ込み継手とパイプレンチの口部との間には隙間があり、パイプレンチで把持したねじ込み継手を配管部材の管軸の回りに回すことになるから、パイプレンチの固定性が悪く、ねじ込み継手の表面を傷つけることになっていた。また、パイプレンチは、モンキレンチ又はスパナに比べて形状が大きくて重く、例えばエルボを回転させる場合では、パイプレンチ自体を配管部材の管軸に対して斜め方向に回すことになり作業性を悪くしていた。
【課題を解決するための手段】
【０００４】
本考案は、上述の課題を解決するものであり、表面を傷つけることなく、作業性を向上できるねじ込み継手を提供することを目的とするものであり、本考案に係るねじ込み継手は、以下のように形成するものである。すなわち、
請求項１記載の考案では、配管部材を接続して、かつ管路が異方向に形成されるねじ込み継手であって、前記ねじ込み継手の端部に配設されるバンド部が、六角形状又は八角形状に形成されていることを特徴とするものである。
【０００５】
請求項２記載の考案は、請求項１の考案に係るものであって、前記ねじ込み継手に形成される管路が、湾曲して形成されていることを特徴としている。
【０００６】
請求項３記載の考案は、請求項１の考案に係るものであって、前記ねじ込み継手に形成される管路が、少なくとも２方向に分岐して形成されていることを特徴としている。
【０００７】
請求項４記載の考案は、前記ねじ込み継手の入口側端部と出口側端部とに配設されるバンド部が、それぞれ異径に形成されていることを特徴としている。
【０００８】
請求項５記載の考案は、請求項１乃至４のいずれかの考案に係るものであって、前記配管部材の端面が、面加工処理されていることを特徴としている。
【考案の効果】
【０００９】
本考案の請求項１に係るねじ込み継手によれば、バンド部を六角形状又は八角形状とするから、ねじ込み継手を配管部材の管軸に沿って回転させる場合は、パイプレンチより軽いモンキレンチ又はスパナでバンド部を掴んで回すことができ、ねじ込み継手の胴体部を傷つけることはない。また、モンキレンチ又はスパナを、配管部材の管軸と直交する方向に回すことができるから、ねじ込み継手の配管されている位置が狭いスペースでも容易にねじ込むことができ作業性を向上することができる。
【００１０】
請求項２に係る考案によれば、例えば、エルボや４５°エルボのように、管路が湾曲して形成しているねじ込み継手であっても、請求項１と同様な効果を持つことができる。
【００１１】
請求項３に係る考案によれば、少なくとも２方向に分岐したねじ込み継手、例えばチーズやクロスでも請求項１と同様の効果を持つことができる。
【００１２】
請求項４に係る考案によれば、配管部材の両端部に形成される口径が異なる形であっても請求項１と同様な効果を持つことができる。
【００１３】
請求項５に係る考案によれば、配管部材の端面を面加工処理することによって、バリ取りを行えることとなって、バリによる怪我の発生をなくすとともに、モンキレンチ又はスパナを使用しての作業をする際にバリが引っ掛かって作業性を低下させることを防止できる。また、外観上でも見栄えがよくなる。
【図面の簡単な説明】
【００１４】
【図１】本考案のエルボを示す断面図である。
【図２】同正面図である。
【図３】図１の配管部材を挿入したエルボをモンキレンチで締め付ける状態を示す断面図である。
【図４】同正面図である。
【図５】本考案の４５°エルボを示す断面図である。
【図６】同正面図である。
【図７】本考案のチーズを示す断面図である。
【図８】同正面図である。
【図９】本考案のクロスを示す断面図である。
【図１０】同正面図である。
【図１１】本考案のストリートエルボを示す断面図である。
【図１２】同正面図である。
【考案を実施するための最良の形態】
【００１５】
次に上記のように形成されたねじ込み継手を図面に基づいて説明する。以下に説明するねじ込み継手は、異方向に形成された胴体部と管路を有するものであり、例えば、胴体部と管路が９０°に形成されたエルボや、４５°に形成された４５°エルボ、また、胴体部と管路がＴ状に形成されたチーズや、十字状に形成されたクロス等である。
【００１６】
図１〜２は、エルボ１を示すものであり、エルボ１は、ステンレス製の鋳物で形成され、９０°湾曲して形成された胴体部１１と胴体部１１の両端部外周面に形成されたバンド部１２と胴体部１１に沿って形成された湾曲状の管路１３とを有している。バンド部１２の外周面は、８面を有する八角形状に形成され、バンド部１２の口部１４には、雌ネジ１４ａが形成されている。雌ネジ１４ａは、端面１ａから内方に向かって先細り状のテーパに形成された管用ネジである。このエルボ１は、それぞれ、呼び径６Ａ（又は１/８Ｂ）〜５０Ａ（又は２Ｂ）の大きさで各種に形成されている。従って、エルボ１を使用する場合には、パイプ１７（図３参照）の大きさに合わせていずれかの大きさのものを選択することになる。
【００１７】
八角形状のバンド部１２の外周面は、各面が等辺に形成され、バンド部１２の管軸に対して対向する辺を平行な面に形成しているから、例えば、図３〜４の二点鎖線で描いた市販のモンキレンチ１６（又はスパナ）で把持可能とされる。八角形状のバンド部１２の外径寸法（対向する面部間の寸法）は胴体部１１の外径と略同一であり、バンド部１２の幅寸法は、モンキレンチ１６（又はスパナ）が把持できる幅の長さに形成されていればよい。
【００１８】
また、エルボ１の口部１４の両端面１ａ、１ａは、旋盤やフライス盤等により面加工されている。これにより、鋳物の表面肌に形成されているバリを取り除くことができ、バリによる怪我の防止や、見栄えの向上を図っている。
【００１９】
図３に示すように、上述のように形成されたエルボ１の一方の口部１４に配管部材（以下、パイプという）１７を挿入してねじ込む際、パイプ１７の雄ネジ１７ａに流体漏れ防止のためのシールテープを必要に応じて巻き付けた後、パイプ１７の雄ネジ１７ａをエルボ１の口部１４に挿入し、八角形状に形成されたエルボ１のバンド部１２をモンキレンチ１６（又はスパナ）で把持する。そして、パイプ１７をいずれかに固定した後、モンキレンチ１６（又はスパナ）自体を、エルボ１と共にバンド部１２の管軸を中心にして回すことによって、パイプ１７にエルボ１をねじ込む。この作業を、エルボ１の一方の口部１４で行った後、他方の口部１４でも同様に行う。
【００２０】
モンキレンチ１６（又はスパナ）は、バンド部１２の管軸に直交する方向に回すことから、エルボ１を取り付ける場所が狭い場所であっても、作業性を低下させることはない。また、八角形状のため、エルボ１のバンド部１２を４５°間隔で把持できるから、エルボ１を作業のしやすい位置から自由に回すことができる。なお、モンキレンチ１６（又はスパナ）でバンド部１２を固定してパイプレンチでパイプを回すようにしてもよい。
【００２１】
なお、上述のエルボ１は、バンド部１２の形状が八角形状ではなく、六角形状のものであっても適応できるものであり、さらに、エルボ１の入口側端部に形成される一方の口部１４の口径が出口側端部に形成される他方の口部１４の口径と異なる径違いエルボであってもよい。
【００２２】
図５〜６は、４５°エルボ（以下エルボという）２を示すものであり、一方の口部２４から他方の口部２４までに胴体部２１及び管路２３の形状が４５°湾曲して形成されているものである。エルボ２は、ステンレス製の鋳物で形成され、湾曲状に形成された胴体部２１と胴体部２１の両端部外周面に形成されたバンド部２２と胴体部２１に沿って形成された湾曲状の管路２３とを有している。バンド部２２の外周面は、８面を有する八角形状に形成され、バンド部２２の口部２４には、雌ネジ２４ａが形成されている。雌ネジ２４ａは、端面２aから内方に向かって先細り状のテーパに形成された管用ネジである。このエルボ２は、それぞれ、呼び径６Ａ（又は１/８Ｂ）〜５０Ａ（又は２Ｂ）の大きさで各種に形成されている。従って、エルボ２を使用する場合には、パイプ１７（図３参照）の大きさに合わせていずれかの大きさのものを選択することになる。
【００２３】
八角形状のバンド部２２の外周面は、各面が等辺に形成され、バンド部２２の管軸に対して対向する辺を平行な面に形成しているから、例えば、図３の二点鎖線で描いた市販のモンキレンチ１６（又はスパナ）で把持可能とされる。八角形状のバンド部２２の外径寸法（対向する面部間の寸法）は胴体部２１の外径と略同一であり、バンド部２２の幅寸法は、モンキレンチ１６（又はスパナ）（図４参照）が把持できる幅の長さに形成されていればよい。
【００２４】
また、エルボ２の口部２４の両端面２ａ、２ａは、旋盤やフライス盤等により面加工されている。これにより、鋳物の表面肌に形成されているバリを取り除くことができ、バリによる怪我の防止や、見栄えの向上を図っている。
【００２５】
なお、上述のエルボ２は、バンド部２２の形状が八角形状ではなく、六角形状であっても適応できるものであり、さらに、エルボ２の入口側端部に形成される一方の口部２４の口径が出口側端部に形成される他方の口部２４の口径と異なる径違いエルボであってもよい。
【００２６】
図７〜８は、３本のパイプ１７（図３参照）を接続してＴ字状の胴体部３１と管路３３とを備えたチーズ３を示すものであり、チーズ３は、ステンレス製の鋳物で形成されている。胴体部３１は、同一軸線上に対向する１対の口部３４１、３４２を有する主胴体部３１１と、主胴体部３１１の軸線と直交する方向の端部に口部３４３を有する副胴体部３１２とを備え、それぞれの口部３４（３４１、３４２、３４３）の外周面には、バンド部３２（３２１、３２２、３２３）が形成されている。それぞれのバンド部３２の外周面は、８個の辺を有する八角形状に形成され、それぞれのバンド部３２の口部３４１、３４２、３４３には、雌ネジ３４１ａ、３４２ａ、３４３ａが形成されている。雌ネジ３４１ａ、３４２ａ、３４３ａは、端面３ａ、３ｂ、３ｃから内方に向かって先細り状のテーパに形成された管用ネジである。このチーズ３は、それぞれ、呼び径６Ａ（又は１/８Ｂ）〜５０Ａ（又は２Ｂ）の大きさで各種に形成されている。従って、チーズ３を使用する場合には、パイプ１７（図３参照）の大きさに合わせていずれかの大きさのものを選択することになる。
【００２７】
八角形状のバンド部３２の外周面は、前述と同様、各面が等辺に形成され、管軸に対して対向する辺を平行な面に形成しているから、例えば、図３の二点鎖線で描いた市販のモンキレンチ１６（又はスパナ）で把持可能とされる。八角形状のそれぞれのバンド部３２の外径寸法（対向する面部間の寸法）は胴体部３１の外径と略同一であり、それぞれのバンド部３２の幅寸法は、モンキレンチ１６（又はスパナ）が把持できる幅の長さに形成されていればよい。
【００２８】
また、チーズ３の口部３４１、３４２、３４３の端面３ａ、３ｂ、３ｃは、前述の形態と同様、旋盤やフライス盤等により面加工されている。これにより、鋳物の表面肌に形成されているバリを取り除くことができ、バリによる怪我の防止や、見栄えの向上を図っている。
【００２９】
なお、上述のチーズ３は、バンド部３２の形状が八角形状ではなく、六角形状であっても適応できるものであり、さらに、主胴体部３１１の両端に形成される口部３４１、３４２の口径と、副胴体部３１２の端部に形成される口部３４３の口径と、が異なる径違いチーズであってもよい。
【００３０】
図９〜１０は、胴体部４１及び管路４３が十字状に形成されたクロス４を示すものであり、クロス４は、ステンレス製の鋳物で形成されている。十字状の胴体部４１のそれぞれの端部には、口部４４が形成されている。口部４４の外周面には、それぞれバンド部４２が形成され、それぞれのバンド部４２の外周面は、８面を有する八角形状に形成されている。それぞれのバンド部４２の口部４４には、雌ネジ４４ａが形成されている。雌ネジ４４ａは、端面４aから内方に向かって先細り状のテーパに形成された管用ネジである。このクロス４は、それぞれ、呼び径６Ａ（又は１/８Ｂ）〜５０Ａ（又は２Ｂ）の大きさで各種に形成されている。従って、クロス４を使用する場合には、パイプ１７（図３参照）の大きさに合わせていずれかの大きさのものを選択することになる。
【００３１】
八角形状のバンド部４２の外周面は、前述と同様、各面が等辺に形成され、管軸に対して対向する辺を平行な面に形成しているから、例えば、図３、４の二点鎖線で描いた市販のモンキレンチ１６（又はスパナ）で把持可能とされる。八角形状のそれぞれのバンド部４２の外径寸法（対向する面部間の寸法）は胴体部４１の外径と略同一であり、それぞれのバンド部４２の幅寸法は、モンキレンチ１６（又はスパナ）が把持できる幅の長さに形成されていればよい。
【００３２】
また、クロス４の口部４４の端面４ａは、前述の形態と同様、旋盤やフライス盤等により面加工されている。これにより、鋳物の表面肌に形成されているバリを取り除くことができ、バリによる怪我の防止や、見栄えの向上を図っている。
【００３３】
なお、上述のクロス４は、バンド部４２の形状が八角形状ではなく、六角形状であっても適応できるものであり、さらにそれぞれの口部４４の口径が異なった異径クロスであってもよい。
【００３４】
図１１〜１２は、胴体部５１及び管路５３が９０°の湾曲状に形成されるとともに両端にそれぞれ口部５４（５４１、５４２）が形成され、一方の口部５４１の内周面には雌ネジ５４１ａが形成され、他端の口部５４２の外周面には雄ネジ５４２ａが形成されたストリートエルボ５を示している。ストリートエルボ５は、ステンレス製の鋳物で形成されている。口部５４１の外周面には、バンド部５２が形成され、バンド部５２の外周面は、８面を有する八角形状に形成されている。雌ネジ５４１ａは、端面５aから内方に向かって先細り状のテーパに形成された管用ネジである。このストリートエルボ５は、それぞれ、呼び径６Ａ（又はＰＴ１/８Ｂ）〜５０Ａ（又は２Ｂ）の大きさで各種に形成されている。従って、ストリートエルボ５を使用する場合には、使用するパイプ１７の大きさに合わせていずれかの大きさのものを選択することになる。
【００３５】
八角形状のバンド部５２の外周面は、前述と同様、各面が等辺に形成され、管軸に対して対向する辺を平行な面に形成しているから、例えば、図３、４の二点鎖線で描いた市販のモンキレンチ１６（又はスパナ）で把持可能とされる。八角形状のそれぞれのバンド部５２の外径寸法（対向する面部間の寸法）は胴体部５１の外径と略同一であり、それぞれのバンド部５２の幅寸法は、モンキレンチ１６（又はスパナ）が把持できる幅の長さに形成されていればよい。
【００３６】
また、ストリートエルボ５の端面５ａ、５ｂは、前述の形態と同様、旋盤やフライス盤等により面加工されている。これにより、鋳物の表面肌に形成されているバリを取り除くことができ、バリによる怪我の防止や、見栄えの向上を図っている。
【００３７】
なお、上述のストリートエルボ５は、バンド部５２の形状が八角形状ではなく、六角形状であっても適応できるものである。
【００３８】
上述のように、実施形態のねじ込み継手１乃至５は、各種の形態におけるバンド部１２乃至５２の形状を八角形状としたことから、パイプレンチの代わりにモンキレンチ１６（又はスパナ）を使用することができ、胴体部１１乃至５１を傷つけることなくねじ込み継手１乃至５を回すことができて、ねじ込み継手１乃至５をパイプ１７にねじ込むことができる。また、狭い場所でも、４５°間隔でバンド部１２乃至５２を把持することができて、ねじ込み継手１乃至５を回すことができることから、作業性を向上することができる。
【符号の説明】
【００３９】
１、エルボ（ねじ込み継手）
１ａ、２a、３a、３b、３c、４a、端面
２、４５°エルボ（ねじ込み継手）
３、チーズ（ねじ込み継手）
４、クロス（ねじ込み継手）
５、ストリートエルボ（ねじ込み継手）
１１、２１、３１、４１、５１、胴体部
１２、２２、３２、４２、５２、バンド部
１３、２３、３３、４３、５３、管路
１４、２４、３４、４４、５４、口部
１６、モンキレンチ
１７、配管部材
【図１】
0003159257.tif 000003
【図２】
0003159257.tif 000004
【図３】
0003159257.tif 000005
【図４】
0003159257.tif 000006
【図５】
0003159257.tif 000007
【図６】
0003159257.tif 000008
【図７】
0003159257.tif 000009
【図８】
0003159257.tif 000010
【図９】
0003159257.tif 000011
【図１０】
0003159257.tif 000012
【図１１】
0003159257.tif 000013
【図１２】
0003159257.tif 000014